(57)【要約】【課題】  オンタイマ機能及びオフタイマ機能を同時に設定できる電子装置であって、ユーザの操作に対応させて後のタイマ機能の動作を変化させることにより、操作性・利便性の向上が図られたタイマ機能付き電子装置の提供。【解決手段】  オンタイマ機能とオフタイマ機能とが同時に設定されている場合に、より早期に設定されているタイマ機能の設定時間（ｔ７）より前に電源スイッチの入力があった場合（ｔ６）には、後のタイマ機能の設定時間（ｔ９）を変更する（ｔ８）ことで、ユーザの行動の変更に対応させてタイマ機能の動作を自動的に変化させ、ユーザの操作性及び利便性の向上を図る。【選択図】      図７
2006038642.tif 000002
【特許請求の範囲】
【請求項１】
時計機能を有するタイマ手段と、電源オン若しくはオフ処理を行う電源処理手段と、オンタイマ機能又はオフタイマ機能の動作条件を記憶するタイマ設定記憶手段と、前記動作条件を設定させる入力手段と、数値や時間などのデータの比較を行う比較手段と、装置全体の制御を行う制御手段と、を有することにより、所定若しくは任意の設定時間の経過後に電源をオフ状態にするオフタイマ機能と、所定若しくは任意の設定時間の経過後に電源をオン状態にするオンタイマ機能と、を備えるタイマ機能付き電子装置であって、前記タイマ設定記憶手段に記憶される動作条件とは異なる動作条件を記憶するタイマ変更設定記憶手段を備えることにより、当該電子装置の電源がオフ状態であり且つ前記オンタイマ機能により設定された時間が前記オフタイマ機能により設定された時間より早期に到来するように設定されている状態において、前記オンタイマ機能により設定された時間の経過前に当該電子装置の電源スイッチの入力が検知された場合には、前記オフタイマ機能を、前記タイマ設定記憶手段に記憶されている動作条件に替えて前記タイマ変更設定記憶手段に記憶されている動作条件に従って動作させる若しくは非動作とさせることを特徴とするタイマ機能付き電子装置。
【請求項２】
時計機能を有するタイマ手段と、電源オン若しくはオフ処理を行う電源処理手段と、オンタイマ機能又はオフタイマ機能の動作条件を記憶するタイマ設定記憶手段と、前記動作条件を設定させる入力手段と、数値や時間などのデータの比較を行う比較手段と、装置全体の制御を行う制御手段と、を有することにより、所定若しくは任意の設定時間の経過後に電源をオフ状態にするオフタイマ機能と、所定若しくは任意の設定時間の経過後に電源をオン状態にするオンタイマ機能と、を備えるタイマ機能付き電子装置であって、前記タイマ設定記憶手段に記憶される動作条件とは異なる動作条件を記憶するタイマ変更設定記憶手段を備えることにより、当該電子装置の電源がオン状態であり且つ前記オフタイマ機能により設定された時間が前記オンタイマ機能により設定された時間より早期に到来するように設定されている状態において、前記オフタイマ機能により設定された時間の経過前に当該電子装置の電源スイッチの入力が検知された場合には、前記オンタイマ機能を、前記タイマ設定記憶手段に記憶されている動作条件に替えて前記タイマ変更設定記憶手段に記憶されている動作条件に従って動作させる若しくは非動作とさせることを特徴とするタイマ機能付き電子装置。
【請求項３】
前記電源スイッチの入力を検知した時点で、前記オンタイマ機能若しくは前記オフタイマ機能の動作条件の入力若しくは選択をユーザに求め、前記タイマ設定記憶手段に記憶されている動作条件に替えて当該入力によって得られた動作条件に従って、前記オンタイマ機能若しくは前記オフタイマ機能を動作させる若しくは非動作とさせることを特徴とする請求項１又は請求項２に記載のタイマ機能付き電子装置。
【請求項４】
前記タイマ手段及び前記比較手段及び前記制御手段により、前記電源スイッチの入力を検知した時間と、前記オンタイマ機能若しくは前記オフタイマ機能のうち設定時間がより早く設定されている方の設定時間と、の差を算出し、前記オンタイマ機能若しくは前記オフタイマ機能のうち設定時間がより遅く設定されている方のタイマ機能の設定時間を、前記差分だけ早くした時間で再設定し、当該動作条件に従って、前記設定時間が遅い方のタイマ機能を動作させることを特徴とする請求項１又は請求項２に記載のタイマ機能付き電子装置。
【請求項５】
設定された第１の時間に装置の電源をオン若しくはオフし、設定された第２の時間に装置の電源をオフ若しくはオンする電子装置のタイマ機能制御方法であって、オンタイマ機能及びオフタイマ機能が双方とも設定されている状態で、前記第１の時間の到来前に当該電子装置の電源スイッチの入力が検出されたときは、前記第２の時間に替えて、別に設定された第３の時間によって当該電子装置の電源をオフ若しくはオンさせることを特徴とする電子装置のタイマ機能制御方法。
【請求項６】
前記第１の時間の到来前に電子装置の電源スイッチの入力が検出されたときに、前記第３の時間の入力若しくは選択をユーザに求め、これにより得られた第３の時間により当該電子装置の電源をオフ若しくはオンさせることを特徴とする請求項５に記載の電子装置のタイマ機能制御方法。
【請求項７】
電子装置に備えられるマイコンに、設定された第１の時間で当該電子装置の電源をオン若しくはオフさせる機能と、設定された第２の時間で当該電子装置の電源をオフ若しくはオンさせる機能と、前記第１の時間の到来前に当該電子装置の電源スイッチの入力が検出されたときは、前記第２の時間に替えて、別に設定された第３の時間によって当該電子装置の電源をオフ若しくはオンさせる機能と、を実現させるためのタイマ機能制御プログラム。
【請求項８】
電子装置に備えられるマイコンに、前記第１の時間の到来前に当該電子装置の電源スイッチの入力が検出されたときにユーザに前記第３の時間の入力若しくは選択を求める機能と、これにより得られた第３の時間により当該電子装置の電源をオフ若しくはオンさせる機能と、を実現させるための請求項７に記載のタイマ機能制御プログラム。
【発明の詳細な説明】
【技術分野】
【０００１】
本発明は、いわゆるオフタイマ及びオンタイマ機能を備えたタイマ機能付き電子装置に関するものであり、特に、当該タイマ機能の利便性の向上が図られたタイマ機能付き電子装置に関する。
【背景技術】
【０００２】
電子装置（例えばテレビやオーディオ装置など）には、電源オン（若しくはオフ）状態の装置を、一定時間の経過後に電源オフ（若しくはオン）状態に自動的に移行させる機能（いわゆるオフタイマ（若しくはオンタイマ）等と呼ばれる機能）を有するものが存在し、当該オンタイマ及びオフタイマの双方の機能を有し、且つ、オンタイマ及びオフタイマの双方の機能を同時に設定して利用できるものも存在する。当該電子装置（オンタイマ及びオフタイマの双方の機能を同時に設定して利用できるもの）によれば、例えば、午前７時に装置の電源が自動的にオンになり、その後午前９時に自動的にオフとするような用い方をすることができるが、一旦設定した設定内容を変更する作業は煩雑になりがちであり、且つ、人間の生活が必ずしも一定でない（予定通り進まない）ことをも考慮すると、必ずしも利便性・操作性に優れるといえるものではなかった。
【０００３】
上記したようなタイマ機能を備える装置などに関する技術が特許文献１や特許文献２などによって開示されている。
【０００４】
【特許文献１】特開２００３−１０９３６４号公報
【特許文献２】特開２００３−３２２６９４号公報
【発明の開示】
【発明が解決しようとする課題】
【０００５】
特許文献１によって開示される従来技術は、電源がオフ（スタンバイ）状態の装置に対し、オンタイマ、オフタイマの順でそれぞれの機能が動作する（オフ状態の装置が自動的にオンになり、その後自動的にオフになる）ように設定されている場合に、オン時刻到来前に装置の電源が人手によりオンされ、オーディオ・ヴィジュアルソースが変更されるなどした場合には、オフタイマ機能を動作させないようにするもので、ユーザの操作に対応して装置の動作を変化させることで操作の簡略化を図ったものであり、一方、特許文献２で開示される従来技術は、タイマ機能の設定操作自体の簡略化を図ったものである。
【０００６】
特許文献２で開示される従来技術によれば、設定操作の簡略化が図られているものの、特許文献１で開示される従来技術のように、ユーザの操作に対応してその後のタイマ機能の動作が変化するというものではなく、タイマ機能の動作を変更する場合には逐一設定変更の操作（操作が簡略化されているにせよ）を必要とするものであった。また、特許文献２で開示される従来技術は、ユーザの操作に対応してその後のタイマ機能の動作が変化するというものではあるが、単に、「オフタイマ機能が動作しなくなる」というものであり、ユーザの利便性に特に優れるというものではなかった。
【０００７】
本発明は、上記した点に鑑み、オンタイマ機能及びオフタイマ機能を同時に設定できる電子装置であって、ユーザの操作に対応させて後のタイマ機能の動作を変化させることにより、操作性・利便性の向上が図られたタイマ機能付き電子装置を提供することを目的とする。
【課題を解決するための手段】
【０００８】
請求項１のタイマ機能付き電子装置は、時計機能を有するタイマ手段と、電源オン若しくはオフ処理を行う電源処理手段と、オンタイマ機能又はオフタイマ機能の動作条件を記憶するタイマ設定記憶手段と、前記動作条件を設定させる入力手段と、数値や時間などのデータの比較を行う比較手段と、装置全体の制御を行う制御手段と、を有することにより、所定若しくは任意の設定時間の経過後に電源をオフ状態にするオフタイマ機能と、所定若しくは任意の設定時間の経過後に電源をオン状態にするオンタイマ機能と、を備えるタイマ機能付き電子装置であって、前記タイマ設定記憶手段に記憶される動作条件とは異なる動作条件を記憶するタイマ変更設定記憶手段を備えることにより、当該電子装置の電源がオフ状態であり且つ前記オンタイマ機能により設定された時間が前記オフタイマ機能により設定された時間より早期に到来するように設定されている状態において、前記オンタイマ機能により設定された時間の経過前に当該電子装置の電源スイッチの入力が検知された場合には、前記オフタイマ機能を、前記タイマ設定記憶手段に記憶されている動作条件に替えて前記タイマ変更設定記憶手段に記憶されている動作条件に従って動作させる若しくは非動作とさせることを特徴とする。
【０００９】
上記構成によれば、電源オフ状態の装置が、オンタイマ機能により自動的に電源オンとなりその後オフタイマ機能により自動的に電源オフとなるように設定されている（動作条件がタイマ設定記憶手段に記憶されている）状態において、オンタイマ機能により電源がオンになる前に、電源スイッチの入力によって装置の電源がオンとなった場合には、オフタイマ機能は、タイマ変更設定記憶手段に記憶されている動作条件に従って動作する。なお、「電源オフ」とは、装置全体の完全な電源オフを意味するものではなく、マイコンなどの装置の一部分は通電状態である状態をいう。
【００１０】
請求項２のタイマ機能付き電子装置は、時計機能を有するタイマ手段と、電源オン若しくはオフ処理を行う電源処理手段と、オンタイマ機能又はオフタイマ機能の動作条件を記憶するタイマ設定記憶手段と、前記動作条件を設定させる入力手段と、数値や時間などのデータの比較を行う比較手段と、装置全体の制御を行う制御手段と、を有することにより、所定若しくは任意の設定時間の経過後に電源をオフ状態にするオフタイマ機能と、所定若しくは任意の設定時間の経過後に電源をオン状態にするオンタイマ機能と、を備えるタイマ機能付き電子装置であって、前記タイマ設定記憶手段に記憶される動作条件とは異なる動作条件を記憶するタイマ変更設定記憶手段を備えることにより、当該電子装置の電源がオン状態であり且つ前記オフタイマ機能により設定された時間が前記オンタイマ機能により設定された時間より早期に到来するように設定されている状態において、前記オフタイマ機能により設定された時間の経過前に当該電子装置の電源スイッチの入力が検知された場合には、前記オンタイマ機能を、前記タイマ設定記憶手段に記憶されている動作条件に替えて前記タイマ変更設定記憶手段に記憶されている動作条件に従って動作させる若しくは非動作とさせることを特徴とする。
【００１１】
上記構成によれば、電源オン状態の装置が、オフタイマ機能により自動的に電源オフとなりその後オンタイマ機能により自動的に電源オンとなるように設定されている（動作条件がタイマ設定記憶手段に記憶されている）状態において、オフタイマ機能により電源がオフになる前に、電源スイッチの入力によって装置の電源がオフとなった場合には、オンタイマ機能は、タイマ変更設定記憶手段に記憶されている動作条件に従って動作する。
【００１２】
請求項３のタイマ機能付き電子装置は、請求項１又は請求項２に記載のタイマ機能付き電子装置であって、前記電源スイッチの入力を検知した時点で、前記オンタイマ機能若しくは前記オフタイマ機能の動作条件の入力若しくは選択をユーザに求め、前記タイマ設定記憶手段に記憶されている動作条件に替えて当該入力によって得られた動作条件に従って、前記オンタイマ機能若しくは前記オフタイマ機能を動作させる若しくは非動作とさせることを特徴とする。
【００１３】
上記構成によれば、電源オフ（オン）状態の装置が、オン（オフ）タイマ機能により自動的に電源オン（オフ）となりその後オフ（オン）タイマ機能により自動的に電源オフ（オン）となるように設定されている（動作条件がタイマ設定記憶手段に記憶されている）状態において、オン（オフ）タイマ機能により電源がオン（オフ）になる前に、電源スイッチの入力によって装置の電源がオン（オフ）となった場合には、当該時点におけるユーザの入力・選択によって得られた動作条件に従ってオフ（オン）タイマ機能が動作する。
【００１４】
請求項４のタイマ機能付き電子装置は、請求項１又は請求項２に記載のタイマ機能付き電子装置であって、前記タイマ手段及び前記比較手段及び前記制御手段により、前記電源スイッチの入力を検知した時間と、前記オンタイマ機能若しくは前記オフタイマ機能のうち設定時間がより早く設定されている方の設定時間と、の差を算出し、前記オンタイマ機能若しくは前記オフタイマ機能のうち設定時間がより遅く設定されている方のタイマ機能の設定時間を、前記差分だけ早くした時間で再設定し、当該動作条件に従って、前記設定時間が遅い方のタイマ機能を動作させることを特徴とする。
【００１５】
上記構成によれば、電源オフ（オン）状態の装置が、オン（オフ）タイマ機能により自動的に電源オン（オフ）となりその後オフ（オン）タイマ機能により自動的に電源オフ（オン）となるように設定されている状態において、オン（オフ）タイマ機能により電源がオン（オフ）になる前に、電源スイッチの入力によって装置の電源がオン（オフ）となった場合には、当該時点とオン（オフ）タイマ機能設定時間との差が算出され、オフ（オン）タイマ機能の設定時間が当該差分だけ早くして設定し直され、当該設定に従ってオフ（オン）タイマ機能が動作する。
【００１６】
請求項５の電子装置のタイマ機能制御方法は、設定された第１の時間に装置の電源をオン若しくはオフし、設定された第２の時間に装置の電源をオフ若しくはオンする電子装置のタイマ機能制御方法であって、オンタイマ機能及びオフタイマ機能が双方とも設定されている状態で、前記第１の時間の到来前に当該電子装置の電源スイッチの入力が検出されたときは、前記第２の時間に替えて、別に設定された第３の時間によって当該電子装置の電源をオフ若しくはオンさせることを特徴とする。
【００１７】
請求項６の電子装置のタイマ機能制御方法は、請求項５に記載の電子装置のタイマ機能制御方法であって、前記第１の時間の到来前に電子装置の電源スイッチの入力が検出されたときに、前記第３の時間の入力若しくは選択をユーザに求め、これにより得られた第３の時間により当該電子装置の電源をオフ若しくはオンさせることを特徴とする。
【００１８】
請求項７のタイマ機能制御プログラムは、電子装置に備えられるマイコンに、設定された第１の時間で当該電子装置の電源をオン若しくはオフさせる機能と、設定された第２の時間で当該電子装置の電源をオフ若しくはオンさせる機能と、前記第１の時間の到来前に当該電子装置の電源スイッチの入力が検出されたときは、前記第２の時間に替えて、別に設定された第３の時間によって当該電子装置の電源をオフ若しくはオンさせる機能と、を実現させることを特徴とする。
【００１９】
請求項８のタイマ機能制御プログラムは、請求項７に記載のタイマ機能制御プログラムであって、電子装置に備えられるマイコンに、前記第１の時間の到来前に当該電子装置の電源スイッチの入力が検出されたときにユーザに前記第３の時間の入力若しくは選択を求める機能と、これにより得られた第３の時間により当該電子装置の電源をオフ若しくはオンさせる機能と、を実現させることを特徴とする。
【発明の効果】
【００２０】
本発明の請求項１の、時計機能を有するタイマ手段と、電源オン若しくはオフ処理を行う電源処理手段と、オンタイマ機能又はオフタイマ機能の動作条件を記憶するタイマ設定記憶手段と、前記動作条件を設定させる入力手段と、数値や時間などのデータの比較を行う比較手段と、装置全体の制御を行う制御手段と、を有することにより、所定若しくは任意の設定時間の経過後に電源をオフ状態にするオフタイマ機能と、所定若しくは任意の設定時間の経過後に電源をオン状態にするオンタイマ機能と、を備えるタイマ機能付き電子装置であって、前記タイマ設定記憶手段に記憶される動作条件とは異なる動作条件を記憶するタイマ変更設定記憶手段を備えることにより、当該電子装置の電源がオフ状態であり且つ前記オンタイマ機能により設定された時間が前記オフタイマ機能により設定された時間より早期に到来するように設定されている状態において、前記オンタイマ機能により設定された時間の経過前に当該電子装置の電源スイッチの入力が検知された場合には、前記オフタイマ機能を、前記タイマ設定記憶手段に記憶されている動作条件に替えて前記タイマ変更設定記憶手段に記憶されている動作条件に従って動作させる若しくは非動作とさせることを特徴とするタイマ機能付き電子装置によれば、例えば、電子装置（例えばテレビ）を目覚ましとして使用するために、ＡＭ７：００に電源がオンとなりＡＭ８：００にオフとなるようにオンタイマ及びオフタイマを設定（タイマ設定記憶手段に記憶させる）している状態で、設定時間（ＡＭ７：００）より早く目が覚めた場合や何らかの予定変更等があったことにより、設定時間（ＡＭ７：００）より早くテレビの電源が手動でオンされた場合には、タイマ変更設定記憶手段に記憶させた別の動作条件（例えば、ＡＭ８：００より1時間早く／遅くオフタイマを動作させる、若しくはオフタイマを動作させない等）に従ってオフタイマが動作する。すなわち、ユーザの行動（生活パターンや予定）の変更に対応させて後のタイマ機能の動作が変化するため、ユーザの操作性及び利便性が向上する。
【００２１】
本発明の請求項３の、前記電源スイッチの入力を検知した時点で、前記オンタイマ機能若しくは前記オフタイマ機能の動作条件の入力若しくは選択をユーザに求め、前記タイマ設定記憶手段に記憶されている動作条件に替えて当該入力によって得られた動作条件に従って、前記オンタイマ機能若しくは前記オフタイマ機能を動作させる若しくは非動作とさせることを特徴とする請求項１又は請求項２に記載のタイマ機能付き電子装置によれば、例えば、電子装置（例えばテレビ）に対して、ＰＭ１１：００に電源がオフとなり（就寝の際のオフタイマ機能）、且つ翌朝ＡＭ７：００にオンとなる（翌朝の目覚ましとして使用するためのオンタイマ機能）ように設定している状態で、ユーザの予定に変更が生じ（例えば、翌朝の起床時間が早まったため、早く就寝しようとして）、設定時間（ＰＭ１１：００）より早くテレビの電源が手動でオフされた場合には、その時点で翌朝のオンタイマの設定の変更の有無をユーザに確認し、当該ユーザの設定に従ってオンタイマを動作させるため、ユーザの利便性に優れる。
【００２２】
本発明の請求項４の、前記タイマ手段及び前記比較手段及び前記制御手段により、前記電源スイッチの入力を検知した時間と、前記オンタイマ機能若しくは前記オフタイマ機能のうち設定時間がより早く設定されている方の設定時間と、の差を算出し、前記オンタイマ機能若しくは前記オフタイマ機能のうち設定時間がより遅く設定されている方のタイマ機能の設定時間を、前記差分だけ早くした時間で再設定し、当該動作条件に従って、前記設定時間が遅い方のタイマ機能を動作させることを特徴とする請求項１又は請求項２に記載のタイマ機能付き電子装置によれば、例えば、ＣＤプレーヤを目覚ましとして使用するために、再生時間が５０分のＣＤをセットして、ＡＭ７：００に電源がオンとなりＡＭ７：５０にオフとなるようにオンタイマ及びオフタイマを設定している状態で、設定時間（ＡＭ７：００）より早く目が覚めた場合や何らかの予定変更があったために、設定時間（ＡＭ７：００）より早いＡＭ６：３０に装置の電源が手動でオンされた場合には、当該差分である３０分だけオフタイマの設定時間が早く（ＡＭ７：２０）され、ＣＤの再生時間（５０分）分だけ装置の電源がオン状態となるように動作するため、ユーザの操作性及び利便性が向上すると共に、副次的効果として装置の省電力化も図られる。
【発明を実施するための最良の形態】
【００２３】
以下、本発明の具体的実施例について、図面を参照しながら説明する。なお、以下の実施態様は、本発明を具体化する際の一形態であって、本発明をその範囲内に限定するためのものではない。
【実施例１】
【００２４】
図１は本実施例の液晶テレビジョン受像表示装置（以下単にＬＣＤ）を示す斜視図であり、図２は当該ＬＣＤの本発明に係る部分のみの概略を示すブロック図である。図３及び図４はオンタイマ機能・オフタイマ機能・連動機能の設定時の動作の概略を示すフローチャート、図５はオンタイマ機能・オフタイマ機能の動作の概略を示すフローチャート、図６は連動処理の動作の概略を示すフローチャートである。図７はタイマ機能の設定からタイマ機能の動作終了までの動作の一例を示すタイミングチャートである。図８・図９は各機能の動作時の画面表示の１例を示す図である。
【００２５】
本実施例のＬＣＤ１は、図２に示されるように、装置全体の制御を行う制御手段であるマイコン１０・タイマ変更設定記憶手段であるタイマ変更設定記憶部１１・タイマ設定記憶手段であるタイマ設定記憶部１２・入力手段である操作部１３・別の入力手段であるリモコン装置２からの信号を受ける受光部１４・電源部１５・モニタ１７などを備える。マイコン１０は、タイマ手段であるタイマ部１０２・電源処理手段である電源処理部１０３・比較手段である比較部１０１及び、制御部１０５等を備える。なお、本実施例では理解の容易のため、タイマ変更設定記憶部１１とタイマ設定記憶部１２とを区別して記載しているが、これは必ずしもハードウェア的に別個独立であることを示しているものではなく、1つの記憶部の記憶領域内において「タイマ変更設定記憶部」と「タイマ設定記憶部」が存在してもよい。
【００２６】
オンタイマ機能、オフタイマ機能及び連動機能のための初期設定（タイマ機能設定モード）の操作・動作の概略を図２、図３・４などを参照しつつ説明する。なお、連動機能とは、オンタイマ機能及びオフタイマ機能が双方とも設定されている状態において、電源スイッチの入力があった場合には所定の条件に従って、後のタイマ機能の動作を変化させる機能である（以下の説明でより詳細に説明する）。リモコン装置２に備えられるタイマ設定キー２１の入力により（図３ステップ３１）、タイマ機能設定モードとなり、図８ａに示されるような連動機能設定画面をモニタ１７に表示し（ステップ３２）、連動機能のオン・オフの設定をユーザに求め、これによって得られた値を変数Ａに代入してタイマ設定記憶部１２に保存する（ステップ３３）。なお、以下にも各機能のオン・オフの設定を変数に代入して記憶させる場合があるが、本実施例では、各機能をオンにする場合には各変数に１が、オフに設定する場合には各変数に０が代入されるものとする。また、ユーザに設定条件などの入力を求める各動作は、制御部１０５及び画面表示部１０７によって表示される表示内容を確認しつつ、ユーザがリモコン装置２を操作することで、リモコン装置２からの信号を受光部１４が受信し、キー判別部１０６によって当該信号内容が判別され、動作指示部１１０・制御部１０５・画面表示部１０７により、当該判別された信号内容に応じた画面表示（カーソール移動させる等）を行いつつ、信号内容に応じた設定情報を取得することにより行われる。
【００２７】
ステップ３４では図８ｂに示されるような設定対象選択画面をモニタ１７に表示し、ユーザの選択に応じてそれぞれオンタイマ設定処理３６０・オフタイマ設定処理３７０・終了処理３８０へと移行する（ステップ３５）。ステップ３５における選択が「オンタイマの設定」であった場合にはステップ３６１へと進み、図８ｃ１に示されるようなオンタイマ設定画面が表示され、オンタイマ機能のオン・オフの設定がＢに、オンタイマの設定日時がＢｔにそれぞれ代入されてタイマ設定記憶部１２に保存される（ステップ３６２）。ステップ３６３ではＢが１（オンタイマ機能がオン）であるか否かの判断を行い、１（オン）であった場合には後に説明するオンタイマ処理を開始（ステップ３６４）させ、０（オフ）であった場合には、オンタイマ設定処理３６０を終了してステップ３４へと戻る。オンタイマ機能をオフ（Ｂ＝０）としている場合にはこれ以上不要なオンタイマの動作設定を行わせる必要が無いためである。ステップ３６５ではＡが１（連動機能がオン）であるか否かの判断を行い、Ａ＝０（連動機能をオフ）としている場合にはこれ以上不要な設定を行わせる必要が無いため、ステップ３４へと戻る。Ａ＝１（連動機能オン）であった場合には図８ｄ１に示されるような連動時オンタイマ設定画面が表示され（ステップ３６６）、連動時オンタイマ機能のオンｏｒオフの設定がＢ２に、連動時オンタイマの設定日時がＢ２ｔにそれぞれ代入されてタイマ変更設定記憶部１１に保存される（ステップ３６７）。なお、連動時オンタイマの設定日時の取得は、図８ｄ１に示されるように、「オフセット時間」と「早くｏｒ遅く」の情報を取得し、タイマ設定記憶部１２に記憶されているＢｔ（オンタイマ設定日時）に対してオフセット時間分早くｏｒ遅くした日時を算出することによって行われる。オンタイマ設定処理３６０が終了しステップ３４へと戻ることにより、オフタイマ機能の設定へと移行することができるが（当然オンタイマ機能の設定をしなおすこともできる）、当該オフタイマ設定処理３７０の動作の概略は、オンタイマ設定処理３６０の動作と同様であるためここでの説明を省略する。なお、オフタイマ設定処理３７０においては、オンタイマ設定処理３６０における図８ｃ１や図８ｄ１の表示画面に替えて図８ｃ２や図８ｄ２に示されるような表示画面が表示される。本実施例においては、上記のごとく、「連動時オン（オフ）タイマ設定日時」の設定は、「オン（オフ）タイマ設定日時」に対する変位（オフセット）量を入力することより行うこととしたが、直接設定日時データを入力するようにしてもよい。
【００２８】
ステップ３５での選択が「終了」であった場合には終了処理３８０へと移行し、ステップ３８１においてＡ・Ｂ・Ｃの全ての値が１（連動機能オン且つオンタイマ機能オン且つオフタイマ機能オン）であるか否かを判断し、１である場合には後に説明する連動処理を開始させる（ステップ３８２）。一方Ａ・Ｂ・Ｃの何れかが０であった場合にはそのまま処理を終了する。これは連動機能がオンタイマ及びオフタイマ機能の双方が設定されている状態において動作する機能であるため、Ｂ及びＣが１である必要があること、及び、当該連動機能がオン（Ａが１）でなければ当然に連動機能を動作させる必要がないことによる。なお、タイマ機能設定モードの操作において、リモコン装置２を用いることとしたが、ＬＣＤ１本体に備えられる操作部１３によって設定操作を行うようにしてもよいし、当該タイマ機能設定モードをＬＣＤ１の他の機能の設定と同時に行うようにして（いわゆるメニューモード等の設定項目の一部とする）、タイマ機能設定モードへ移行するための専用キーとなるタイマ設定キー２１を不要とすることもできる。
【００２９】
次にオンタイマ処理の動作の概略を、図５ａを参照して説明する（オフタイマ処理（図５ｂ）の動作概念はオンタイマ処理と同様であるため説明を省略する）。ステップ４２において、現在日時とＢｔ（オンタイマ設定日時）との比較を行い、現在日時がオンタイマ設定日時に達していない場合はステップ４１とのループ処理を行う。当該比較は、タイマ部１０２が保有している現在日時データと、タイマ設定記憶部１２に記憶されているオンタイマ設定日時データとを比較部１０１が比較することにより行われる。ステップ４１におけるＢが１（オンタイマ機能オン）か否かの判断は、オンタイマ処理動作中であってもユーザによる設定変更や、他の機能による設定変更により、処理途中でオンタイマ機能がオフとされることがあるため、ループ処理中において常に監視し、オフ（Ｂ＝０）となった場合にはオンタイマ処理を終了させるものである。現在日時がオンタイマ設定日時に達した場合（ステップ４２）には、ステップ４３において装置（ＬＣＤ１）の電源がオフ状態であるか否かを判断し（既にオン状態である場合には電源オン処理を要しないため）、電源オフ状態であった場合には、電源処理部１０３に電源オン処理を行わせてオンタイマ処理を終了する。オンタイマ処理終了時にはＢに０を代入（オンタイマ設定をオフに）して処理を終了する（ステップ４５）。以上のごとく、図３・図４に示される処理と図５ａ及び図５ｂに示される処理とにより、マイコン１０は、設定された第１又は第２の時間（Ｂｔ・Ｃｔ）でＬＣＤ１の電源をオン若しくはオフさせる機能を有する。なお、いうまでもないが、ＬＣＤ１が物理的に完全に電源オフ状態である場合には、マイコン１０も動作することができず、タイマ機能を実現することができないため、本実施例における電源オフとは装置全体の完全な電源オフを意味するものではなく、マイコン１０などの装置の一部分は通電状態である状態をいう。
【００３０】
次に連動処理の動作の概略を、図６を参照しつつ説明する。ステップ５１において電源がオン状態であるかオフ状態であるかの判断を行い、オン状態である場合にはオンタイマ設定変更処理５２０へ、オフ状態である場合にはオフタイマ設定変更処理５３０へ、と移行する。オンタイマ設定変更処理５２０とオフタイマ設定変更処理５３０とは、同様の動作概念であるため、ここではオンタイマ設定変更処理５２０のみの説明とする。ステップ５２２では電源スイッチ１３ａ（ＬＣＤ１本体）若しくは電源スイッチ２３（リモコン装置２）の入力待ちを行い、当該入力待ちループ内においてＡ・Ｂ・Ｃの全ての値が１（前述したごとく連動機能オンの条件）であるか否かを判断し（ステップ５２１）、これを満たさない場合は連動処理を終了する。ステップ５２３ではＣｔ（オフタイマ設定日時）がＢｔ（オンタイマ設定日時）より早期に設定されているか否かを判断し、オンタイマの方が早期に設定されている場合にはステップ５１へと戻る。一方、オフタイマの方が早期に設定されている場合にはステップ５２４において、タイマ変更設定記憶部１１に記憶されているＢ２（連動時オンタイマ機能設定）をタイマ設定記憶部１２に記憶されているＢへ、タイマ変更設定記憶部１１に記憶されているＢ２ｔ（連動時オンタイマ設定日時）をタイマ設定記憶部１２に記憶されているＢｔへ、とそれぞれ上書きし、図９ａに示されるような画面を表示する（ステップ５２５）ことによって当該変更があった旨をユーザに告知し、連動処理を終了する。以上のごとく、図３・図４に示される処理と図５ａ及び図５ｂに示される処理と図６に示される処理とにより、マイコン１０は、第２の時間（Ｂｔ若しくはＣｔ）に替えて第３の時間（Ｂ２ｔ若しくはＣ２ｔ）によってＬＣＤ１の電源をオン若しくはオフさせる機能を有する。
【００３１】
以上説明した各処理の動作及び各処理相互間の影響をより明確にするため、図７を参照しつつさらに説明を加える。図７はタイマ機能の設定からタイマ機能の動作終了までの一連の動作の一例を示すタイミングチャートであり、オンタイマ設定日時Ｂｔ（ｔ７）の方がオフタイマ設定日時Ｃｔ（ｔ９）より早く設定され、且つ、連動時オフタイマ設定日時Ｃ２ｔ（ｔ８）がオフタイマ設定日時Ｃｔ（ｔ９）より早く設定されている場合を示す。タイマ設定キー２１の入力によりタイマ機能設定モードが稼動し（ｔ１）、タイマ機能設定モード中のｔ２においてオンタイマ機能がオンに設定されることにより、オンタイマ処理が起動（図４ステップ３６４）し、ｔ３においてオフタイマ機能がオンに設定されることにより、オフタイマ処理が起動（図４ステップ３７４）し、タイマ機能設定モードを終了する際（ｔ４）に、オンタイマ機能・オフタイマ機能・連動機能が全てオン設定になっている場合には、連動処理を起動する（図４ステップ３８１・３８２）。起動された連動処理（図６）はステップ５１においてＬＣＤ１の電源の状態を確認し、電源がオン状態である（図７の場合におけるｔ４時点では）ため、ステップ５２１とステップ５２２のループ処理へと移行する。ｔ５にて電源スイッチの入力があった時点で、ステップ５２２からステップ５２３へと移行し、Ｂｔ＜Ｃｔである（図７の場合では）ためステップ５１へと戻る。この時点では電源がオフとなっている（電源オン状態でｔ５にて電源スイッチの入力があったため電源オフ状態となる）ためステップ５１における電源状態の確認からステップ５３１とステップ５３２のループ処理へと移行する。
【００３２】
その後のｔ６における電源スイッチの入力があった時点で、ステップ５３２からステップ５３３へと移行し、Ｂｔ＜Ｃｔである（図７の場合では）ため、さらにステップ５３４へと移行する。ステップ５３４と５３５により、オフタイマの設定条件を、連動時オフタイマ設定条件で上書きし、設定条件が変更された旨を画面表示して連動処理を終了する。オンタイマの設定時間であるｔ７が到来した時点で、オンタイマ処理（図５ａ）のステップ４２の判断が「Ｙｅｓ」となりステップ４３に移行する。ｔ７においては電源がオン状態であるため、ステップ４３からステップ４５へと移行し、ステップ４５においてオンタイマ機能の設定をオフと（Ｂに０を代入）してオンタイマ処理を終了する。次に、連動時オフタイマ設定時間であるｔ８が到来すると、オフタイマ処理（図５ｂ）のステップ４２ｂの判断が「Ｙｅｓ」となりステップ４３ｂに移行する。装置の電源はオン状態であるため、ステップ４３ｂからステップ４４ｂへと移行して電源オフ処理を行い、ステップ４５ｂにおいてオフタイマ機能の設定をオフとしてオフタイマ処理を終了する。以上で一連のタイマ機能の動作が終了する。
【００３３】
ｔ６における電源スイッチの入力がなかったとした場合を図７中の一点鎖線で示した。ｔ６における電源スイッチの入力がない場合は、ｔ７の到来時に、オンタイマ処理によって装置の電源がオンされ、オンタイマ機能の設定をオフとした上でオンタイマ処理が終了する。当該オンタイマ機能のオフ（Ｂ＝０）により、連動処理のステップ５３１（図６）の判断が「Ｎｏ」となり、連動処理も終了される。その後のｔ９の到来時に、オフタイマ処理によって装置の電源がオフされ、オフタイマ機能の設定をオフとした上でオフタイマ処理が終了する。なお、図７中のニ点鎖線は、連動時オフタイマ機能をオフとした場合（図４におけるステップ３７７においてＣ２に０が代入された場合）の動作を示したものである。この場合、ｔ６における電源スイッチの入力により、連動処理がＣをＣ２＝０で上書きする（図６ステップ５３４）ため、オフタイマ処理は終了（図５ｂステップ４１ｂ）し（連動処理も終了）、ｔ９を経過してもＬＣＤ１の電源はオン状態のままとなる。
【００３４】
以上のように、本実施例のＬＣＤ１によれば、ユーザの行動（生活パターンや予定）の変更に対応させて後のタイマ機能の動作が自動的に変化するため、ユーザの操作性及び利便性に優れる。
【００３５】
なお、本実施例では、連動時オン／オフタイマ設定日時の設定時間を１つのみとしているが、例えば、オンタイマの設定が７：００でオフタイマの設定が９：００である場合に、オンタイマ設定から３０分以内（例えば６：５０）に電源スイッチの入力があった場合には、初期設定のまま、オンタイマ設定から３０分以上1時間以内（例えば６：２０）に電源スイッチの入力があった場合には、オフタイマ設定時間を８：３０に変更、オンタイマ設定から1時間以上前（例えば５：３０）に電源スイッチの入力があった場合には、オフタイマ設定時間を８：００に変更する。というように、複数の連動時タイマ時間を設定できるようにして、条件に応じて変更時間を変化させるようにしてもよい。
【実施例２】
【００３６】
図１０は本実施例の液晶テレビジョン受像表示装置のオンタイマ機能・オフタイマ機能・連動機能設定時の動作の概略を示すフローチャート、図１１は連動処理の動作の概略を示すフローチャートである。図１２はタイマ機能の設定からタイマ機能の動作終了までの一連の動作の一例を示すタイミングチャートである。図１３は各機能の動作時の画面表示の１例を示す図である。なお、本実施例における液晶テレビジョン受像表示装置の基本的構成は実施例１と同様であるためここでの説明の省略し、本実施例の説明において必要があるときは、図１及び図２を参照する。また、各処理において、実施例１と同様の概念には実施例１と同一の符号を使用し、ここでの説明を省略若しくは簡略化する。
【００３７】
図１０は本実施例の液晶テレビジョン受像表示装置のオンタイマ機能・オフタイマ機能及び連動機能の設定時（タイマ機能設定モード）の動作の概略を示しているが、実施例１（図３・図４）と比して、連動時オン／オフタイマ設定（ステップ３６５〜３６７及びステップ３７５〜３７７）が無いだけのものであるのでここでの説明を省略する。又、オンタイマ処理及びオフタイマ処理についても実施例１と同様であるため説明を省略し、必要があるときは図５を参照する。
【００３８】
連動処理の動作の概略を、図１１を参照しつつ説明する。ステップ５１において電源がオン状態であるかオフ状態であるかの判断を行い、オン状態である場合にはオンタイマ設定変更処理１１２０へ、オフ状態である場合にはオフタイマ設定変更処理１１３０へ、と移行する。オンタイマ設定変更処理１１２０とオフタイマ設定変更処理１１３０とは、同様の動作概念であるため、ここではオンタイマ設定変更処理１１２０のみの説明とし、また、ステップ５２１〜ステップ５２３については実施例１と同様であるため説明を省略する。ステップ１１２４で、図１３ａ１に示されるようなオンタイマ変更画面を表示し、ユーザが変更を選択した場合には、図１３ｂ１に示されるようなオンタイマ変更設定画面が表示され、オンタイマ機能のオン・オフの設定（変更後）がＢに、オンタイマの設定日時（変更後）がＢｔにそれぞれ代入（上書き）されてタイマ設定記憶部１２に保存される（ステップ１１２５）。なお、ユーザがオンタイマの設定を変更しないことを選択した場合には、図１３ｂ１の画面は表示されず、オンタイマの設定内容も変更されない（ステップ１１２５において、Ｂの値及びＢｔの値に変化はない）。以上のごとく、図１０に示される処理と図５ａ及び図５ｂに示される処理と図１１に示される処理とにより、マイコン１０は、ユーザに第３の時間（変更後のＢｔ若しくはＣｔ）の入力若しくは選択を求める機能と、これにより得られた第３の時間により電子装置（ＬＣＤ１）の電源をオフ若しくはオンさせる機能を有する。
【００３９】
以上説明した各処理の動作及び各処理相互間の影響をより明確にするため、図１２を参照しつつさらに説明を加える。図１２はタイマ機能の設定からタイマ機能の動作終了までの一連の動作の一例を示すタイミングチャートであり、オンタイマ設定日時Ｂｔ（ｔ７）の方がオフタイマ設定日時Ｃｔ（ｔ８）より早く設定され、且つ、連動処理によりオフタイマの設定日時が遅く（ｔ９）変更された場合を示す。ｔ１からｔ６の前までの動作概念は実施例１（図７）と同様であるためここでの説明を省略する。ｔ６における電源スイッチの入力があった時点で、ステップ５３２からステップ５３３へと移行し（図１１）、Ｂｔ＜Ｃｔである（図１２の場合）ため、さらにステップ１１３４へと移行する。ステップ１１３４とステップ１１３５とにより、オフタイマの設定条件を、ユーザの入力に従って変更（オフタイマ設定日時をｔ８からｔ９へと変更）し、連動処理を終了する。次にオンタイマの設定時間であるｔ７が到来した時点で、オンタイマ処理（図５ａ）のステップ４２の判断が「Ｙｅｓ」となりステップ４３に移行する。ｔ７においては電源がオン状態であるため、ステップ４３からステップ４５へと移行し、ステップ４５においてオンタイマ機能の設定をオフと（Ｂに０を代入）してオンタイマ処理を終了する。変更前オフタイマ設定時間であるｔ８が到来しても、Ｃｔの値は既に変更されている（ｔ９）ため、オフタイマ処理（図５ｂ）のステップ４２ｂの判断は「Ｎｏ」のままであり、電源オフ処理（ステップ４４ｂ）が行われることは無い。その後のｔ９の到来によりオフタイマ処理のステップ４２ｂの判断が「Ｙｅｓ」となりステップ４３ｂからステップ４４ｂへと移行して電源オフ処理を行い、オフタイマ機能の設定をオフとしてオフタイマ処理を終了する。以上で一連のタイマ機能の動作が終了する。
【００４０】
ｔ６における電源スイッチの入力がなかったとした場合を図１２中の一点鎖線で示した。ｔ６における電源スイッチの入力がない場合は、ｔ７の到来時に、オンタイマ処理によって装置の電源がオンされ、オンタイマ機能の設定をオフとした上でオンタイマ処理が終了する。当該オンタイマ機能のオフ（Ｂ＝０）により、連動処理のステップ５３１（図１１）の判断が「Ｎｏ」となり、連動処理も終了される。その後のｔ８の到来時に、オフタイマ処理によって装置の電源がオフされ、オフタイマ機能の設定をオフとした上でオフタイマ処理が終了する。なお、図１２中のニ点鎖線は、連動処理によるオフタイマの設定変更時にユーザがオフタイマ機能をオフとした場合（図１１におけるステップ１１３５においてＣに０が代入された場合）の動作を示したものである。この場合、ｔ６における電源スイッチの入力により、連動処理がＣを０で上書きするため、オフタイマ処理は終了（図５ｂステップ４１ｂ）し（連動処理も終了）、ｔ８を経過してもＬＣＤ１の電源はオン状態のままとなる。
【００４１】
以上のように、本実施例によれば、ユーザの行動（生活パターンや予定）に変更があった場合に、後のタイマ機能の動作の変更をユーザに求め、これに応じた動作をするため、ユーザの利便性が向上する。
【実施例３】
【００４２】
図１４は本実施例の連動処理の動作の概略を示すフローチャートである。図１５はタイマ機能の設定からタイマ機能の動作終了までの一連の動作の一例を示すタイミングチャートである。図１６は各機能の動作時の画面表示の１例を示す図である。なお、本実施例における液晶テレビジョン受像表示装置の基本的構成は実施例１と同様であるためここでの説明の省略し、本実施例の説明において必要があるときは、図１及び図２を参照する。また、タイマ機能設定モードは実施例２（図１０）と同様、オンタイマ処理及びオフタイマ処理についても実施例１（図５）と同様であるため説明を省略し、必要があるときは図５や図１０を参照する。
【００４３】
連動処理の動作の概略を、図１４を参照しつつ説明する。ステップ５１において電源がオン状態であるかオフ状態であるかの判断を行い、オン状態である場合にはオンタイマ設定変更処理１４２０へ、オフ状態である場合にはオフタイマ設定変更処理１４３０へ、と移行する。オンタイマ設定変更処理１４２０とオフタイマ設定変更処理１４３０とは、同様の動作であるため、ここではオンタイマ設定変更処理１４２０のみの説明とし、また、ステップ５２１〜ステップ５２３については実施例１と同様であるため説明を省略する。ステップ１４２４では、タイマ部１０２が保有する現在日時のデータにオンタイマ設定日時とオフタイマ設定日時の差を加算し、これをＢｔに代入（上書き）する。これにより、オフタイマ設定日時と現在日時との差分だけ、オンタイマ設定日時が早く設定し直されることとなる。ステップ１４２５では、図１６ａに示されるような画面を表示することにより、当該変更が行われた旨をユーザに告知する（図１６ａでは、３７分オンタイマが早く設定し直されており、オフタイマ設定日時より３７分早く電源スイッチの入力があった状態を示している）。
【００４４】
以上説明した各処理の動作及び各処理相互間の影響をより明確にするため、図１５を参照しつつさらに説明を加える。図１５はタイマ機能の設定からタイマ機能の動作終了までの一連の動作の一例を示すタイミングチャートであり、オンタイマ設定日時Ｂｔ（ｔ７）の方がオフタイマ設定日時Ｃｔ（ｔ９）より早く設定された場合を示す。ｔ１からｔ６の前までの動作概念は実施例１（図７）と同様であるためここでの説明を省略する。ｔ６における電源スイッチの入力があった時点で、ステップ５３２からステップ５３３へと移行し（図１４）、Ｂｔ＜Ｃｔである（図１５の場合）ため、さらにステップ１４３４へと移行する。ステップ１４３４により、オフタイマの設定日時が、ｔ６とｔ７との間の時間分だけｔ９より早い時間であるｔ８に変更される。ステップ１４３５では当該変更があった旨をユーザに告知し、連動処理を終了する。次にオンタイマの設定時間であるｔ７が到来した時点で、オンタイマ処理（図５ａ）のステップ４２の判断が「Ｙｅｓ」となりステップ４３に移行する。ｔ７においては電源がオン状態であるため、ステップ４３からステップ４５へと移行し、ステップ４５においてオンタイマ機能の設定をオフと（Ｂに０を代入）してオンタイマ処理を終了する。次にｔ８が到来した時点で、オフタイマ処理のステップ４２ｂの判断が「Ｙｅｓ」となりステップ４３ｂからステップ４４ｂへと移行して電源オフ処理を行い、オフタイマ機能の設定をオフとしてオフタイマ処理を終了する。以上で一連のタイマ機能の動作が終了する。
【００４５】
ｔ６における電源スイッチの入力がなかったとした場合を図１５中の一点鎖線で示した。ｔ６における電源スイッチの入力がない場合は、ｔ７の到来時に、オンタイマ処理によって装置の電源がオンされ、オンタイマ機能の設定をオフとした上でオンタイマ処理が終了する。当該オンタイマ機能のオフ（Ｂ＝０）により、連動処理のステップ５３１（図１４）の判断が「Ｎｏ」となり、連動処理も終了される。その後のｔ９の到来時に、オフタイマ処理によって装置の電源がオフされ、オフタイマ機能の設定をオフとした上でオフタイマ処理が終了する。
【００４６】
以上のごとく、本実施例によれば、ユーザがオンタイマ（若しくはオフタイマ）設定時間より早く装置の電源をオフ（若しくはオン）した場合であっても、オンタイマ設定時間（Ｂｔ）とオフタイマ設定時間（Ｃｔ）との間の時間分だけ、装置がオン（若しくはオフ）状態となるため、例えば、ＣＤプレーヤ等の、一定の再生時間を有する媒体を再生するような装置に対して本実施例を適用することにより、媒体の再生時間分だけ装置がオンとなるようにオンタイマ設定時間（Ｂｔ）とオフタイマ設定時間（Ｃｔ）とが設定されている場合に、オンタイマ設定時間（Ｂｔ）より早く装置がオンされ媒体の再生が開始されても、媒体の再生終了と共に（再生時間分経過後に）装置の電源がオフとなるようにオフタイマの設定時間が自動的に再設定されるため、ユーザの操作性及び利便性が向上し、副次的に装置の省電力化の効果も得られる。
【００４７】
なお、実施例においては、理解の容易のために電子装置の具体例としてＡＶ機器である液晶テレビジョン受像表示装置を用いて説明したが、本発明はＡＶ機器に限られるものではなく、家庭用熱器具、冷暖房器具などに対しても有効に適用できるものであり、ＡＶ機器とは例えば、テレビ、ＶＴＲ、ＤＶＤ再生／記録装置、ＨＤＤ再生／記録装置、ラジオ、ＲＥＣＯＲＤ  ＰＬＡＹＥＲ、ＣＡＳＥＴＴＥ  ＤＥＣＫ、ＨＯＭＥ  ＴＨＥＡＴＥＲ  ＳＹＳＴＥＭ、ＡＵＤＩＯ  ＣＯＭＰＯＮＥＮＴ  ＳＹＳＴＥＭ、ＡＶアンプ、ＭＤ記録／再生装置、ＬＡＳＥＲ  ＤＩＳＣ  ＰＬＡＹＥＲなどである。家庭用熱器具とは例えば、電子レンジ、オーブンレンジ、トースター、ＩＨクッキングヒーター、アイロンなどであり、冷暖房器具とは、例えば、エアコン、ファンヒーター、電気毛布、電気カーペット、扇風機などである。さらに本発明に係る電気機器は、冷蔵庫、洗濯機、布団乾燥機、衣類乾燥機、除湿機、加湿器、ウォシュレット付き便座、換気システム、パソコン、携帯電話、電話、時計、デジタルカメラ、ビデオカメラ、掃除機、ゲーム機、プロジェクターなどを含むものである。また、上記した各実施例では、オンタイマ機能若しくはオフタイマ機能の動作終了後は自動でタイマ機能の設定がオフとなるものとしているが、タイマ機能の動作終了後にタイマ機能の設定を自動的にオフとするのではなく、ユーザによりオフとさせるものであっても良い。
【図面の簡単な説明】
【００４８】
【図１】液晶テレビジョン受像表示装置を示す斜視図
【図２】液晶テレビジョン受像表示装置の本発明に係る部分のみの概略を示すブロック図
【図３】オンタイマ機能・オフタイマ機能・連動機能の設定時の動作の概略を示すフローチャート
【図４】オンタイマ機能・オフタイマ機能・連動機能の設定時の動作の概略を示すフローチャート
【図５】オンタイマ機能・オフタイマ機能の動作の概略を示すフローチャート
【図６】連動処理の動作の概略を示すフローチャート
【図７】タイマ機能の設定からタイマ機能の動作終了までの動作の一例を示すタイミングチャート
【図８】オンタイマ機能・オフタイマ機能・連動機能の設定時の画面表示の１例を示す図
【図９】タイマ機能の設定変更があった場合の画面表示の１例を示す図
【図１０】実施例２のオンタイマ機能・オフタイマ機能・連動機能設定時の動作の概略を示すフローチャート
【図１１】実施例２の連動処理の動作の概略を示すフローチャート
【図１２】実施例２のタイマ機能の設定からタイマ機能の動作終了までの一連の動作の一例を示すタイミングチャート
【図１３】タイマ機能設定変更時の画面表示の１例を示す図
【図１４】実施例３の連動処理の動作の概略を示すフローチャート
【図１５】実施例３のタイマ機能の設定からタイマ機能の動作終了までの一連の動作の一例を示すタイミングチャート
【図１６】タイマ機能の設定変更があった場合の画面表示の１例を示す図
【符号の説明】
【００４９】
１        液晶テレビジョン受像表示装置
２        リモコン装置（入力手段）
１０      マイコン（制御手段）
１１      タイマ変更設定記憶部（タイマ変更設定記憶手段）
１２      タイマ設定記憶部（タイマ設定記憶手段）
１３      操作部（入力手段）
１３ａ・２３  電源スイッチ
１０２    タイマ部（タイマ手段）
１０３    電源処理部（電源処理手段）
１０１    比較部（比較手段）
【図１】
2006038642.tif 000003
【図２】
2006038642.tif 000004
【図３】
2006038642.tif 000005
【図４】
2006038642.tif 000006
【図５】
2006038642.tif 000007
【図６】
2006038642.tif 000008
【図７】
2006038642.tif 000009
【図８】
2006038642.tif 000010
【図９】
2006038642.tif 000011
【図１０】
2006038642.tif 000012
【図１１】
2006038642.tif 000013
【図１２】
2006038642.tif 000014
【図１３】
2006038642.tif 000015
【図１４】
2006038642.tif 000016
【図１５】
2006038642.tif 000017
【図１６】
2006038642.tif 000018